【事件の表示】
　特願２０００−　８６３１７「医用画像情報システム」拒絶査定不服審判事件〔平成１３年１０月　５日出願公開、特開２００１−２７３３６４〕について、次のとおり審決する。
【結　論】
　本件審判の請求は、成り立たない。
【理　由】
１．手続きの経緯・本願発明
　本願は、平成１２年３月２７日に出願されたものであって、平成１４年７月２６日付けで拒絶の理由が通知され、これに対し平成１４年９月１９日付けで手続補正がなされ、平成１４年１１月６日付けで拒絶査定がなされ、これに対し平成１４年１２月２日に拒絶査定に対する審判請求がなされ、審判請求と同時に手続補正がなされたものである。
　
２．平成１４年１２月２日付けの手続補正についての補正却下の決定
［補正却下の決定の結論］
　平成１４年１２月２日付けの手続補正を却下する。
［理由］
（１）補正後の本願発明
　平成１４年１２月２日付けの本件補正により、特許請求の範囲の請求項１〜４は、
　「【請求項１】医用所見データの作成を行う所見端末と、
　前記所見端末で作成された医用所見データを格納する所見サーバと、
　医用画像データの格納する画像サーバと、
　前記画像サーバから転送される医用画像データの表示を行なう画像ビューワと、
　前記所見端末、前記所見サーバ、前記画像サーバ及び前記画像ビューワを相互接続する情報ネットワークを備えた医用画像情報システムにおいて、
　指定された医用画像データの属性情報を保存し、ここで保存された属性情報に基づいて前記指定された医用画像データを前記画像ビューアに表示させる画像データ再生手段を備え、
　前記属性情報は、少なくとも前記指定の医用画像データの画像番号と階調値を含み、
　前記画像データ再生手段は、前記所見端末に具備される画像データ管理機能と、前記画像ビューアに具備される画像データ選択表示機能によって構成され、
　前記画像データ管理機能は、前記属性情報を記憶すると共に、これを前記画像サーバに伝送し、
　画像データ選択表示機能は、前記医用画像データと前記属性情報を前記所見端末に伝送すると共に、前記所見端末から伝送された属性情報に従って、前記医用画像データを表示させることを特徴とする医用画像情報システム。
【請求項２】前記指定された医用画像データは、所見データを作成する際に参照されたキー画像であることを特徴とする請求項１に記載の医用画像情報システム。
【請求項３】前記画像データ管理機能は、前記画像ビューアから伝送された前記属性情報を、医用所見データと共に前記所見サーバに保存できるように構成されたことを特徴とする請求項１に記載の医用画像情報システム。
【請求項４】前記所見端末の画面上に、前記キー画像と前記属性情報を前記所見端末に伝送する画像伝送用アイコン、前記医用所見データと前属性情報を前記所見サーバに格納する保存用アイコン、前記医用所見データと前記属性情報を前記画像ビューワに伝送する画像保存用アイコンの少なくとも一つを設けたことを特徴とする請求項２記載の医用画像情報システム。」
と補正された。
　
（２）補正の適否について
　以下、簡単のために、平成１４年１２月２日付けの手続補正書により補正される前の特許請求の範囲の請求項１，２，３，４に記載された発明を「補正前の発明１，２，３，４」といい、平成１４年１２月２日付けの手続補正書により補正された後の特許請求の範囲の請求項１，２，３，４に記載された発明を「補正後の発明１，２，３，４」ということにする。
　前記補正により、補正前の発明１は削除され、それに伴い、補正前の発明２，３，４は、その番号が繰り上がり、補正後の発明１，２，３になり、そして新たに補正後の発明４が追加されることになった。
　そして、前記補正により新たに追加された補正後の発明４は、次のとおりのものである。
　「【請求項４】前記所見端末の画面上に、前記キー画像と前記属性情報を前記所見端末に伝送する画像伝送用アイコン、前記医用所見データと前属性情報を前記所見サーバに格納する保存用アイコン、前記医用所見データと前記属性情報を前記画像ビューワに伝送する画像保存用アイコンの少なくとも一つを設けたことを特徴とする請求項２記載の医用画像情報システム。」
　補正後の発明４の記載内容をみるに、補正後の発明４は、以下の(i)〜(iii)に示される３つのアイコン、すなわち、
(i)「前記キー画像と前記属性情報を前記所見端末に伝送する画像伝送用アイコン」
(ii)「前記医用所見データと前属性情報を前記所見サーバに格納する保存用アイコン」
(iii)「前記医用所見データと前記属性情報を前記画像ビューワに伝送する画像保存用アイコン」
のうちの少なくとも一つを前記所見端末の画面上に設けたことを、発明を特定する事項とするものである。
　しかしながら、補正前の発明１〜４には、(i)「画像伝送用アイコン」、(ii)「保存用アイコン」、(iii)「画像保存用アイコン」についての記載が全くなく、かつ自明な事項でもない。しかも、上記３つのアイコンは、所見端末利用者が所見端末を使用する際に簡単に操作入力できるようにするためのものであって、補正前の発明１〜４を特定する事項とはなっていない事項である。
　以上のとおり、前記補正は、発明を特定するために必要な事項を限定するものとはなってはいないから、平成１４年１２月２日付けの手続補正書による補正は、特許請求の範囲の減縮に該当しない。また、誤記の訂正、及び明りょうでない記載の釈明のいずれにも該当しない。
　したがって、平成１４年１２月２日付けの手続補正書による請求項４に係る補正は、特許法第１７条の２第４項各号のいずれを目的とするものとも認められないから、同法第１５９条の規定により読み替えて準用される同法第５３条第１項の規定により、平成１４年１２月２日付けの手続補正は、却下すべきものである。
　
３．本願発明について
　平成１４年１２月２日付けの手続補正は、前記のとおり却下されるから、本願の特許請求の範囲の請求項１に係る発明（以下、「本願発明」という。）は、平成１４年９月１９日付けの手続補正書により補正された特許請求の範囲の請求項１に記載された次のとおりのものである。
　
　「【請求項１】医用所見データの作成を行う所見端末と、
　前記所見端末で作成された医用所見データを格納する所見サーバと、
　医用画像データの格納する画像サーバと、
　前記画像サーバから転送される医用画像データの表示を行なう画像ビューワと、
　前記所見端末、前記所見サーバ、前記画像サーバ及び前記画像ビューワを相互接続する情報ネットワークを備えた医用画像情報システムにおいて、
　指定された医用画像データの属性情報を保存し、ここで保存された属性情報に基づいて前記指定された医用画像データを前記画像ビューアに表示させる画像データ再生手段を備え、
　前記属性情報は、少なくとも前記指定の医用画像データの画像番号と階調値を含むことを特徴とする医用画像情報システム。」
　
（１）引用例
　原査定の拒絶の理由に引用した特開平４−１８９３４６号公報（平成４年７月７日出願公開。以下、「引用例１」という。）には、図面と共に次の各記載がある。
　
（ア）「［実施例］
　以下、本発明の実施例を添付図面を参照して詳細に説明する。
　第１図は本発明による診断レポート作成保管方法の手順を示すフローチャートであり、第２図はこの診断レポート作成保管方法の実施に使用するシステムのハード構成を示すブロック図である。第２図において、本発明の方法の実施に使用するシステムは、画像ワークステーション１とワードプロセッサ２とを有して成る。上記画像ワークステーション１は、医師が患者等について各種の医用画像検査装置を用いて検査した各種の医用画像を格納しておくと共に、必要に応じて読み出し表示装置に表示するもので、予め収集された各種の医用画像等のデータを格納する磁気ディスク３と、この磁気ディスク３から読み出した画像データを表示のために一時的に記憶する複数の表示メモリ４ａ〜４ｆと、これらの表示メモリ４ａ〜４ｆからそれぞれ画像データを取り込んで各種の医用画像を表示する複数、例えば６個のＣＲＴ５ａ〜５ｆと、上記各構成要素の動作を制御するためのデータが書き込まれた主メモリ６と、この主メモリ６からの命令の解読と実行とを制御する中央処理装置（ＣＰＵ）７と、図形等の入力装置としてのマウス８及びそのコントローラ９とを備えて成る。
　また、ワードプロセッサ２は、日本語や英語の文章を入力し編集して印刷出力するもので、後述のキーボード１４で入力した文字データ等を格納する磁気ディスク１０と、この磁気ディスク１０から読み出した文字データ等を表示のために一時的に格納する表示メモリ１１と、この表示メモリ１１から文字データ等を取り込んで文字や数字等を表示するＣＲＴ１２と、上記各構成要素の動作を制御する中央処理装置（ＣＰＵ）１３と、文字や数字等の入力装置としてのキーボード１４及びそのコントローラ１５とを備えて成る。
　なお、第２図において、符号１６及び１７は、それぞれ画像ワークステーション１またはワードプロセッサ２内に設けられたデータバスを示している。そして、上記各データバス１６，１７にはそれぞれ通信基板１８ａ，１９が設けられており、これらの通信基板１８ａ，１９の間を信号線２０で接続することにより、上記画像ワークステーション１とワードプロセッサ２とが接続されている。また、上記画像ワークステーション１のデータバス１６に設けられた他の通信基板１８ｂには、磁気ディスク３に格納された画像データ等をハードコピーするレーザビームプリンタ等のプリンタ２１が接続されている。さらに、上記データバス１６に設けられた第三の通信基板１８ｃには、信号線２２を介して通信網２３が接続されており、この通信網２３には他の画像ワークステーション１’が複数台接続される共に、画像データ等を記録する記録媒体としての光ディスク２４が接続され、ネットワークが形成されている。」（第２頁上右欄第８行〜第３頁上左欄第２行）
　
（イ）「次に、このように構成されたシステムを使用して行う診断レポート作成保管方法について、第１図及び第３図並びに第４図を参照して説明する。まず、第３図において、画像ワークステーション１の例えば第四のＣＲＴ５ｄの画面に表示されたアイコン２５の項目の中から、マウス８の操作により「画像編集」を選択する。すると、第１図のステップ（１）は「画像編集」の側へ進み、ステップ（２）へ入る。このステップ（２）では、第２図に示す画像ワークステーション１を用いて診断用画像を編集表示する。すなわち、第３図において、例えば第四のＣＲＴ５ｄの画面を除いて他のＣＲＴの画面には、患者のレントゲン像またはＸ線ＣＴ像、ＭＲＩ画像等がそれぞれ表示されている。医師は、これらの画像を観察しながら、診断に役立つ情報を多く含んだキー画像、例えば第三のＣＲＴ５ｅの画像左下部に表示された画像を選び、マウス８の操作によりこれらの画像を指示して、第四のＣＲＴ５ｄの画面上部に複写して表示する。」（第３頁上左欄第３行〜同頁上右欄第２行））
　
（ウ）「このとき、医師は、上記画像ワークステーション１の第四のＣＲＴ５ｄの画面上に編集表示された診断用画像を観察しながら、第２図及び第３図に示すワードプロセッサ２を用いてキーボード１４で文章を入力し、その画像についての診断所見を作成する（第１図のステップＡ）。すると、この出来上がった診断所見のデータは、第２図に示すワードプロセッサ２内の磁気ディスク１０へ一旦格納される。この場合、作成した診断所見ごとに識別番号を付けておく必要があるが、この識別番号を付けるには、画像ワークステーション１内に格納された各医師用画像に付与された識別番号を送信してもらい、ワードプロセッサ２のＣＲＴ１２の画面上にメニューを表示し、この中から上記作成した診断所見に該当する画像の識別番号を選んで付与すればよい。なお、この識別番号の付与は、上記の方法に限らず、ワードプロセッサ２のキーボード１４から直接文字や数字等を入力してもよい。
　この状態で、ワードプロセッサ２から上記作成した診断所見のデータを画像ワークステーション１へ送信する（第１図のステップＢ）。このとき、どの診断所見のデータを伝送するかを指定する必要があるが、第１図のステップ（２）において画像ワークステーション１で編集表示されている診断用画像の識別番号は分かっているので、この識別番号を画像のワークステーション１から送信してもらい指定すれば良い。すると、ワードプロセッサ２は、上記送信された識別番号の付いている診断所見のデータを検索して、画像ワークステーション１へ送信する。このとき、診断所見のデータは、第２図に示す信号線２０を介して伝送される。」（第３頁上右欄第３行〜同頁下左欄第１４行）
　
（エ）「次に、この状態でステップ（１）へ戻り、今度は第四のＣＲＴ５ｄの画面に表示されたアイコン２５の項目の中から、マウス８の操作により「データ合成」を選択する。すると、上記ステップ（１）は「データ合成」の側へ進み、ステップ（３）へ入る。このステップ（３）では、画像ワークステーション１は、上記ワードプロセッサ２から送信された診断所見のデータを入力して読み込む。そして、この読み込んだ診断所見のデータと、前記ステップ（２）で編集した診断用画像のデータとを合成して一枚の診断レポートを作成する（ステップ（４））。例えば、第３図において、第四のＣＲＴ５ｄの画面上部に複写して表示された診断用画像２６ａ，２６ｂの下方にて画面下部に形成された空領域２７に、診断所見のデータを埋め込んで合成する。ここで、上記診断所見のデータは文字情報として送られてくるので、診断レポートのデータは、画像と文字の合成となる。そして、この合成された一枚の診断レポートのデータを画像ワークステーション１の第四のＣＲＴ５ｄに表示すると、第４図に示すようになる。すなわち、診断用画像２６ａ，２６ｂと診断所見２８とが同一の画面に表示される。」（第３頁下左欄第１５行〜同頁下右欄第１７行）
　
（オ）「次に、上記画像ワークステーション１の例えば第四のＣＲＴ５ｄの画面に表示されたアイコン２５の項目の中から、マウス８の操作により「プリント」を選択する。すると、第１図のステップ（６）は「プリント」側へ進み、ステップ（６）へ入る。このステップ（６）では、第２図に示すプリンタ２１を用いて上記作成された一枚の診断レポートのデータにより、診断レポートを印刷作成する。このプリンタ２１からは、第４図に示すと同様に、診断用画像２６ａ，２６ｂと診断所見２８とが一枚の用紙に印刷されて診断レポートが出力される。この状態でステップ（５）へ戻り、今度は第四のＣＲＴ５ｄの画面に表示されたアイコン２５の項目の中から、マウス８の操作により「格納」を選択する。すると、上記ステップ（５）は「格納」側へ進み、ステップ（７）へ入る。このステップ（７）では、上記ステップ（４）で一枚に合成された診断レポートのデータを、第２図に示す画像ワークステーション１内の磁気ディスク３へ格納して保管する。
　このとき、第４図に示すように診断用画像２６ａ，２６ｂのデータと、診断所見２８のデータとをその記憶場所を関係付けたうえで別の場所に格納してもよい。例えば、一枚の画像としてまとめて格納するには、第５図に示すように、メモリ２９は通常１６ビットであり、画素値は通常それより少なくて１２〜１３ビットであるので、上記メモリ２９を例えば第５図（ａ）に示すように診断用画像の領域（０〜１３ビット）と、診断所見の領域（１４〜１５ビット）とに分割して格納すればよい。なお、第５図（ｂ）に示すように、診断所見のデータを下位ビット領域に格納し、診断用画像のデータを上位ビット領域に格納してもよい。そして、第５図（ａ）に示すようにデータを格納した場合は、同図（ｃ）に示すように、メモリ２９から診断所見のデータだけを取り出して適宜の画素濃度（例えば１２〜１３ビット）までシフトして画像表示すれば、第４図に示すように診断用画像２６ａ，２６ｂと診断所見とが分かれて見える。
　また、診断用画像２６ａ，２６ｂのデータと診断所見２８のデータとを関係付けして別の場所に格納するには、一般に画像データとそのディレクトリとは別々の場所に格納されるので、このディレクトリに診断所見のデータの格納される場所を示すポインタを付加して格納すればよい。この場合、上記ディレクトリを解読することにより、診断用画像２６ａ，２６ｂと一緒に診断所見２８も取り出して表示することができる。
　なお、上記のようにして画像ワークステーション１の磁気ディスク３へ格納された診断用画像及び診断所見のデータは、第２図に示す信号線２２及び通信網２３を介してネットワーク上の光ディスク２４に記録されるようになっている。この場合は、上記ネットワーク上に設けられた他の画像ワークステーション１’においても、第４図に示すように一枚に合成し作成された診断レポートを表示して利用することができる。」（第３頁下右欄第１８行〜第４頁下左欄第１５行）
　なお、印刷の都合上、丸数字は、括弧付きの数字で代用した。
　
　以上の記載から見て、引用例１には、次のような発明が記載されているものと認められる。
　
　「医師は、マウス８を操作し画像ワークステーション１の第四のＣＲＴ５ｄの画面に表示された画像編集を指示するアイコンを選択し、画像ワークステーション１のＣＲＴ５ａ〜５ｃの画面に、患者の診断用画像であるレントゲン像、Ｘ線ＣＴ像、またはＭＲＩ画像をそれぞれ表示し、これらの画像を観察し、診断に役立つ情報を多く含んだキー画像（２６ａ，２６ｂ）をＣＲＴ５ａ〜５ｃに表示されている中から選び、第四のＣＲＴ５ｄの画面上部に複写して編集表示し、
　次に医師は、ワードプロセッサ２を用いてキーボード１４から文章を入力し、ＣＲＴ５ｄの画面上に編集表示された診断用画像についての診断所見を作成し、その後この診断所見のデータに診断用画像に付与された識別番号と同じ識別番号を付けて一旦ワードプロセッサ２内の磁気ディスク１０へ格納し、この状態で、診断所見のデータの送信指示がなされると、付されている識別番号を基に診磁気ディスク１０に格納されている診断所見のデータを検索し、ワードプロセッサ２から信号線２０を介して画像ワークステーション１へ送信し、
　次に医師は、第四のＣＲＴ５ｄの画面に表示されたデータ合成を指示するアイコンを選択し、画像ワークステーション１に、ワードプロセッサ２から送信されて来た診断所見のデータを読み込ませ、先に編集した診断用画像のデータと読み込んだ診断所見のデータとを合成して一枚の診断レポートデータを作成させ、この合成された診断レポートデータを第四のＣＲＴ５ｄの画面上に表示させ、
　次に医師は、第四のＣＲＴ５ｄの画面に表示されたプリントを指示するアイコンを選択し、プリンタ２１を用いて先に作成された診断レポートデータに基づき診断レポートをプリント出力して作成し、
　次に医師は、第四のＣＲＴ５ｄの画面に表示された格納を指示するアイコンを選択し、先に作成された診断レポートデータを構成する診断用画像データ（２６ａ，２６ｂ）と診断所見のデータ２８とを、ディレクトリ及びポインタ等を用いて或いは別のアクセス手法を用いてそれらの記憶場所（アドレス）を互いに関係付けたうえで、画像ワークステーション１内の磁気ディスク３へ別々に或いは一緒に格納して保管管理し、次にこの磁気ディスク３へ格納された診断用画像データ及び診断所見のデータは、信号線２２及び通信網２３を介して通信網２３に接続されている光ディスク２４に記録され、
　そしてネットワークに接続された他の画像ワークステーション１’は、この診断レポートデータを光ディスク２４から取り出して表示し利用することができる診断レポート作成保管方法及びこの方法を実施するシステム。」
　
（２）対比
　本願発明と引用例１に記載された発明を対比すると、引用例１に記載された発明の「ワードプロセッサ２内の診断所見を作成、表示するキーボード１４及びコントローラ１５、ＣＲＴ１２」は、本願発明の「所見端末」に相当し、引用例１に記載された発明の「ワードプロセッサ２内の診断所見を格納、管理する磁気ディスク１０、ＣＰＵ１３」は、本願発明の「所見サーバ」に相当し、引用例１に記載された発明の「画像ワークステーション１内の医用画像を記憶及び管理する磁気ディスク３、ＣＰＵ７及びコントローラ９」は、本願発明の「画像サーバ」に相当し、引用例１に記載された発明の「画像ワークステーション１の医用画像を表示するＣＲＴ５ａ〜５ｆ」は、本願発明の「画像ビューワ」に相当し、引用例１に記載された発明の「診断レポート作成保管方法を実施するシステム」は、本願発明の「医用画像システム」に相当することは、明らかである。
　そして、引用例１には、医師が、画像ワークステーション１の第四のＣＲＴ５ｄの画面上に編集表示された診断用画像を観察し、ワードプロセッサ２により診断所見を作成し、出来上がった診断所見のデータに診断用画像に付されている識別番号と同じ識別番号を付してワードプロセッサ２内の磁気ディスク１０へ格納管理することが記載されており（前記（ウ）参照。）、
　また、引用例１には、バス１７が、「ワードプロセッサ２内のキーボード１４、コントローラ１５、ＣＲＴ１２」（所見端末に相当）と「ワードプロセッサ２内の磁気ディスク１０、ＣＰＵ１３」（所見サーバに相当）とを接続し、バス１６が、「画像ワークステーション１内の磁気ディスク３、ＣＰＵ７、コントローラ９」（画像サーバに相当）と「画像ワークステーション１内のＣＲＴ５ａ〜５ｆ」（画像ビューワに相当）とを接続し、信号線２０が、画像ワークステーション１とワードプロセッサ２とを接続し、通信網２３が、画像ワークステーション１と他の画像ワークステーション１’及び光ディスク２４とを接続してネットワークを形成し、ネットワーク形成された全体が診断レポート作成保管方法を実施するシステムを構成することが記載されている（前記）（ア）及び（オ）参照。）から、本願発明と引用例１に記載された発明とは、
　「医用所見データの作成を行う所見端末と、
　前記所見端末で作成された医用所見データを格納する所見サーバと、
　医用画像データの格納する画像サーバと、
　前記画像サーバから転送される医用画像データの表示を行なう画像ビューワと、
　前記所見端末、前記所見サーバ、前記画像サーバ及び前記画像ビューワを相互接続する情報ネットワークを備えた医用画像情報システム」
である点で差異はない。
　引用例１には、診断用画像データと診断所見のデータに同じ識別番号を付し、ディレクトリ及びポインタ等を用いて或いは別のアクセス手法を用いてそれらの記憶場所を互いに関係付けたうえで、磁気ディスク３へ別々に或いは一緒に格納して保管・管理することが記載されており（前記（イ）、（ウ）、（オ）参照。）、そして指定された診断用画像データを識別番号に基づいて磁気ディスク３から取り出し、ＣＲＴ５ａ〜５ｆに選択的に表示することが記載されている（前記（ア）、（イ）、（オ）参照。）から、引用例１に記載された発明は、診断用画像データを再生する手段を有することは明らかであり、本願発明と引用例１に記載された発明とは、
　「指定された医用画像データの識別番号を保存し、ここで保存された識別番号に基づいて前記指定された医用画像データを前記画像ビューアに表示させる画像データ再生手段」
を備える点で差異はない。
　
　そうすると、本願発明と引用例１に記載された発明とは、
（一致点）
　「医用所見データの作成を行う所見端末と、
　前記所見端末で作成された医用所見データを格納する所見サーバと、
　医用画像データの格納する画像サーバと、
　前記画像サーバから転送される医用画像データの表示を行なう画像ビューワと、
　前記所見端末、前記所見サーバ、前記画像サーバ及び前記画像ビューワを相互接続する情報ネットワークを備えた医用画像情報システムにおいて、
　指定された医用画像データの識別番号を保存し、ここで保存された識別番号に基づいて前記指定された医用画像データを前記画像ビューアに表示させる画像データ再生手段を備える医用画像情報システム。」
である点で一致し、次の点で相違する。
　
（相違点１）
　本願発明が、医用所見データを作成する機能を所見端末として構成し、医用所見データを格納する機能を所見サーバとして構成し、両機能を別体で構成しているのに対し、
　引用例１に記載された発明は、診断所見のデータを作成する機能をワードプロセッサ２内のキーボード１４、及びコントローラ１５として構成し、診断所見のデータを格納管理する機能をワードプロセッサ２内の磁気ディスク１０、ＣＰＵ１３として構成し、両機能をワードプロセッサ２として一体で構成している点。
　
（相違点２）
　本願発明が、医用画像データを格納する機能を画像サーバとして構成し、医用画像データの表示を行う機能を画像ビューワとして構成し、両機能を別体で構成しているのに対し、
　引用例１に記載された発明は、医用画像を格納管理する機能を画像ワークステーション１内の磁気ディスク３、ＣＰＵ７、及びコントローラ９として構成し、医用画像を表示する機能を画像ワークステーション１内のＣＲＴ５ａ〜５ｆとして構成し、両機能を画像ワークステーション１として一体で構成している点。
　
（相違点３）
　本願発明の属性情報は、少なくとも医用画像データの画像番号と諧調値とを含むのに対し、
　引用例１に記載された発明の属性情報は、識別番号（画像番号に相当）を含むが、更に諧調値を含むとは明記されていない点。
　
（３）判断
（相違点１について）
　前記相違点１について判断するに、複数の機能を、ユーザの要求仕様に応じ別体構成の設計とすること或いは一体構成の設計とすることの何れもが、常套的に行われる技術常識であることに鑑みると、医用所見データの作成機能と格納機能を一体構成とするか、または別体構成とするかは、当業者が適宜なし得ることである。
　
（相違点２）について
　前記相違点２について判断するに、複数の機能を、ユーザの要求仕様に応じ別体構成の設計とすること或いは一体構成の設計とすることの何れもが、常套的に行われる技術常識であることに鑑みると、医用画像データの格納機能と表示機能を一体構成とするか、または別体構成とするかは、当業者が適宜なし得ることである。
　
（相違点３について）
　前記相違点２について判断するに、医用画像データの属性情報は、患者の氏名、年齢、性別、病巣部位、識別子はもとより、画像番号、画像の輝度、色、コントラスト、ガンマ特性、撮像環境等の複数のパラメータから成しうることは当業者の技術常識である。然るに、最適に調整した画像データについてその属性情報の一つである諧調値を画像データと対応付けて保存するようになし、表示の度に画像の属性情報の一つである諧調値の調整を不要とすることは、例えば、特開平５−２１６４４９号広報にその旨の記載があるとおり当業者には周知な技術事項であるから、したがって、該周知事項を引用例１に記載された発明に転用して、本願発明の如く、属性情報を少なくとも画像番号と諧調値とより構成するようにすることは、当業者が適宜なし得ることである。
　
（４）むすび
　以上のとおり、本願発明は、引用例１に記載された発明及び周知技術に基づいて当業者が容易に発明をすることができたものであるから、特許法第２９条第２項の規定により特許を受けることができない。
　よって、結論のとおり審決する。